【事件の表示】
　特願２０１４−５０７９８６「粒子線の遠隔多門照射装置」拒絶査定不服審判事件〔平成２５年１０月　３日国際公開、ＷＯ２０１３／１４６９４５〕について、次のとおり審決する。
【結　論】
　本件審判の請求は、成り立たない。
【理　由】
第１　手続きの経緯
　本願は、２０１３年（平成２５年）３月２７日（優先権主張　平成２４年３月３１日）を国際出願日とする出願であって、その手続きの経緯は、以下のとおりである。
　平成２８年　８月３１日付け：拒絶理由通知
　平成２８年１２月２８日　　：意見書、手続補正書の提出
　平成２９年　２月２０日付け：拒絶査定
　平成２９年　５月２９日　　：審判請求書、手続補正書の提出
　平成３０年　７月　５日付け：拒絶理由通知
　平成３０年　９月　４日　　：意見書、手続補正書の提出（以下、この手続補正書による手続補正を「本件補正」という。）
第２　本願発明
　本件補正によって補正された特許請求の範囲の請求項１に係る発明（以下、「本願発明」という。）は、以下のとおりである。
「粒子線を照射対象（１１）に出射する照射装置（１２）と，
　前記照射装置（１２）の位置及び方向を制御する照射制御装置（１３）と，
　前記照射対象（１１）を含む患者を支持する支持台（１４）とを含む照射室（１５）と，
　前記照射室（１５）とは別のフロアに存在する制御室（２１）に設けられた制御装置（２２）と，
　前記照射対象のＸ線撮影を行うＸ線撮影装置（３２）とを含み，
　前記制御装置（２２）は，前記照射制御装置（１３）を制御することで，前記照射装置（１２）の位置及び方向を制御するものであり，
　前記照射室（１５）は，前記照射装置（１２）内の多葉コリメータの形状を撮影でき，前記制御室（２１）内の表示部（４２）に表示することで，前記多葉コリメータの形状を確認できるＭＬＣ遠隔監視カメラ（１８）をさらに有し，
　前記多葉コリメータは，前記照射装置（１２）内のスノート内に存在し，
　治療計画装置から出力されたＤＲＲ画像と治療のための粒子線照射の前に前記Ｘ線撮像装置（３２）を用いて前記支持台（１４）の上に前記照射対象（１１）を含む患者を寝かせた状態で撮影するＸ線画像とを比較することで，治療計画時に決定した前記照射対象（１１）の位置と現在の前記支持台（１４）上の前記照射対象（１１）の位置とのズレを算出し，前記支持台（１４）の移動量を求めて前記支持台（１４）を位置決めする
　粒子線の遠隔多門照射を行うことができる粒子線の遠隔多門照射装置。」
　なお、請求項１には「ＭＬＣ遠隔監視カメラ（１８）さらに有し」と記載されているが、「さらに有し」の対象は「ＭＬＣ遠隔監視カメラ（１８）」であるから、「さらに有し」は「をさらに有し」の誤記と認め、本願発明を上記のように認定した。
第３　拒絶の理由の概要
　平成３０年７月５日付けで当審が通知した拒絶理由のうち、理由２は次のとおりのものである。
　本件出願の請求項１〜７に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　引用文献１：特開２０１１−０７２４６０号公報 
　引用文献２：特開２０１０−２４００８５号公報
　引用文献３：特開２０１２−０１０７５９号公報
　引用文献４：・・・・・ 
第４　引用文献の記載及び引用発明
１　引用文献１の記載事項
（１）当審の拒絶の理由２で引用され、本願優先権主張日前に頒布された引用文献１には、図面とともに次の記載がある（下線は当審で付した。以下同様。）。
【０００１】
「
本発明は、粒子線照射システムを設置する粒子線治療施設に係り、特に、荷電粒子ビーム（陽子線や重粒子線）を照射する粒子線照射システムに適用するのに好適な粒子線治療施設に関する。
【０００２】
「各種放射線を照射することによって、腫瘍細胞を壊死させることを目的とする放射線治療は、近年広く行われている。患者に照射する放射線としては、広く利用されているＸ線だけでなく、陽子線や重粒子線（炭素線）等の荷電粒子ビームを使った治療も行われている。」
【０００３】
「放射線治療の重要なプロセスの一つにベッド位置決め（患者位置決め）がある。
ベッド位置決めとは、一般に、治療計画装置から出力されたＤＲＲ（Digital Reconstructed Radiograph）画像と治療のための放射線照射の前にＸ線撮像装置を用いて治療用ベッド（以下、ベッド）の上に患者を寝かせた状態で撮影するＸ線画像（ＤＲ画像，Digital Radiograph画像）とを比較する
【０００４】
「まず、患者が治療照射室に入室すると、医療スタッフが患者を患者支持台（ベッド）に固定する。その後、医療スタッフはイメージングステーションのもとへ向かいＸ線撮像システムの操作を行い、Ｘ線撮影を行う。ベッドに固定された患者を現在撮影したＸ線画像（現在画像）と治療計画時に作成された画像（治療計画画像）を比較し、治療計画時に決定した照射標的の位置と現在画像であるベッド上の照射標的の位置を比較する。これらの位置がすれている場合、患者支持台を移動してベッド位置決めを行う。ベッド上の照射標的の位置と治療計画時に決定した照射標的の位置とが一致したことを確認すると、医療スタッフは、治療のための粒子線照射開始を出力する。これにより、患者に対し正確な位置に粒子線を照射することが可能となる。」
【０００５】
「粒子線治療施設内でのイメージングステーションの配置として、図６に示すように、治療照射室内に専用の部屋として設置する方法や、図７に示すように、治療照射室と外部とをつなぐ通路（迷路）の途中にスペースを設けて設置する方法がある。特許文献１では、治療照射室の外に別途、イメージングステーションを設置する例が記載されている。このように、粒子線治療施設では粒子線の照射のための制御室とは別に患者位置確認のためにイメージングステーションを設置している。」
【００１４】
「本実施例の粒子線治療施設は、図１に示すように、治療照射室３、治療照射室３と外部とをつなぐ通路５、治療照射室３と通路５の間に設置される遮蔽ドア４０、通路５と外部の廊下の間に設置される遮蔽ドア４１、イメージングステーション４、加速器設置室（図示せず）を備える。図１は本実施例の粒子線治療施設ガントリ照射室の全体配置を表す図である。
本実施例の粒子線治療施設の配置は、粒子線治療施設に設置されている回転ガントリを備える治療照射室に適応することができる
【００１５】
「
本実施例のイメージングステーション４は、図１に示すように、通路５の治療照射室３側終端（通路５と治療照射室３の境界）に設置されている。
イメージングステーション４内で作業しながら、別室である治療照射室３
【００１６】
「図３は患者位置確認のためのＸ線撮像システムの機器構成を表す図である。Ｘ線撮像システムは、Ｘ線画像撮影装置及びＸ線画像撮影制御装置を備える。」
【００１７】
「Ｘ線画像撮像装置は、治療照射室３内に配置され、図３に示すように、Ｘ線発生装置（Ｘ線源）８ａ，８ｂと、このＸ線発生装置８ａ，８ｂから放射されたＸ線を受信するＸ線受像装置９ａ，９ｂを備える。
治療照射室３内には、図１に示すように、加速された粒子線を照射対象に出射する照射装置２と、照射対象を支持する患者支持台（ベッドやイス等）１０と、Ｘ線を発生して照射対象のＸ線撮像をするＸ線撮像装置が設置される。
患者支持台１０は、Ｘ線発生装置とＸ線受像装置との間に位置し、患者支持台１０上に照射標的が存在する。このようなＸ線画像撮像装置が患者支持台１０上に横たわる照射標的を撮像する。
【００１８】
「Ｘ線画像撮像制御装置は、イメージングステーション４内に配置される。図４は、図１の配置におけるイメージングステーション４の全体構成を表すレイアウト図である。Ｘ線画像撮像制御装置は、図４に示すように、ベッド位置決めのためにＸ線撮影するＸ線画像撮像装置を制御するＸ線制御卓１２、撮影したＸ線画像を表示装置に表示し、現在画像と治療計画画像と比較して患者位置のズレを計算する位置決め支援システム１６、算出した位置ズレを補正するために患者支持台１０を動かし微調整するためのペンダント１３、Ｘ線撮影を二方向同時に行うためのリレーパネル制御卓１４を備える。Ｘ線制御卓１２は、Ｘ線画像撮影装置を使ったＸ線撮像のための、例えばＸ線源の電圧や撮影時間等の撮影に必要な撮影条件を設定する機能と、これらの設定された撮影条件に基づいて、Ｘ線画像撮影装置（Ｘ線発生装置８ａ，８ｂやＸ線受像装置９ａ，９ｂ）を制御する機能を持つ。Ｘ線画像撮像装置で撮影されたＸ線画像は、位置決め支援システム１６に送信される。また、イメージングステーション４には、Ｘ線照射中に患者７を監視するための鉛ガラス窓１１が設置されている。」
【００１９】
「粒子線治療システムにおけるベッド位置決めの手順を図５に示す。」
【００２０】
「まず、患者が治療照射室３に入室すると（ステップ１７）、医療スタッフが患者支持台１０に患者を固定する。その後、医療スタッフは、治療照射室３に設置された制御装置（図示せず）を用いて、患者支持台１０を移動させ、患者の粗位置決めを実施する（ステップ１９）。この患者粗位置決めが終了すると、医療スタッフは、図３のように、Ｘ線撮像装置をセットする（ステップ２０）。具体的には、Ｘ線発生装置８ａとＸ線受像装置９ａとが対向する位置であって、これらを結ぶ線上に患者支持台１０上の患者患部が位置するように、Ｘ線発生装置８ａ及びＸ線受像装置９ａを移動する。また、Ｘ線発生装置８ｂとＸ線受像装置９ｂとが対向する位置であって、これらを結ぶ線上に患者支持台１０上の患者患部が位置するように、Ｘ線発生装置８ｂ及びＸ線受像装置９ｂを移動する。このようなＸ線撮像装置のセットが完了すると、医療スタッフはイメージングステーション４に移動する。」
【００２１】
「イメージングステーション４に到着し、遮蔽ドア４０，４１が閉じられ、
照射治療室３に他の人（患者支持台１０上にのせられた患者以外の人や医療スタッフ）が居ないことを確認すると、医療スタッフは、Ｘ線制御卓１２からＸ線撮像開始信号を入力する。
【００２２】
「医療スタッフは、治療照射室３内にいる患者位置を確認する。Ｘ線受像装置９ａ，９ｂは、受信したＸ線画像データを、位置決め支援システム１６に出力する。
位置決め支援システム１６は、受信したＸ線画像データから、患者患部の現在画像を作成し、表示装置に表示する。また、位置決め支援システム１６は、事前に治療計画装置から受信して記憶装置に記憶していた当該患者の治療計画画像を読み込み、表示装置に表示する。位置決め支援システム１６は、表示装置に表示された現在画像と治療計画画像とを比較し、患者支持台１０にある現在の照射標的の位置と治療計画時に決定した照射標的の位置とがずれているか否か（予め定められた許容範囲内にあるか）を判断する。現在の照射標的の位置が、治療計画時の照射標的の位置からずれている（許容範囲外である）と判断した場合、位置決め支援システム１６は、照射標的の位置を一致させる（許容範囲内とする）ために、この照射標的の位置のズレ量に基づいて、患者支持台１０の移動量を求める。支持台制御装置（図示せず）は、位置決め支援システム１６からの支持台移動量を受信すると、この支持台移動量に基づいて、患者支持台１０を移動させて患者位置の微調整を行う（ステップ２２）。
位置決め支援システム１６が、患者支持台１０にいる現在の照射標的の位置と治療計画時に決定した照射標的の位置とが一致していると判断した場合（予め定められた許容範囲内であり、照射標的の位置が一致していると判断された場合）、Ｘ線撮像が終了し、ベッド位置決めが終了する。
【００２３】
「医療スタッフは、粒子線照射のための準備を開始する。具体的には、患者支持台１０に横たわる患者に対応する
患者コリメータを、照射装置２内のビーム軌道上に設置する（ステップ２４）。
医療スタッフがイメージステーション４に戻り、操作装置（図示せず）から治療準備開始信号を出力すると、回転ガントリ１が所定の回転角度に回転され（ステップ２５）、照射装置のスノートが所定の位置に設置される（ステップ２６）。
患者支持台１０に横たわる患者以外の人（他の医療スタッフや他の患者等）が居ないことを確認すると、医療スタッフはイメージステーション４内の操作装置（図示せず）から粒子線照射開始信号を入力する。この粒子線照射開始信号が粒子線照射システムの制御装置に出力されると、照射装置２からの粒子線照射が開始され、治療開始となる（ステップ２７）。
（２）上記（１）の記載事項から、引用文献１には、次の技術的事項が記載されているものと認められる。
ア−１　【００１４】には「本実施例の粒子線治療施設の配置は、粒子線治療施設に設置されている回転ガントリを備える治療照射室に適応することができる。」とあり、回転ガントリを備える治療照射室とあることから、回転ガントリは治療照射室に設置されている、といえる。
ア−２　【００２３】には「回転ガントリ１が所定の回転角度に回転され（ステップ２５）、照射装置のスノートが所定の位置に設置される（ステップ２６）。」とあり、回転ガントリ１の回転により、照射装置の周方向の位置決め制御が行われているといえ、そして、周方向の位置決め制御とは「位置」と「方向」の両者を制御しているに他ならないから、回転ガントリ１は照射装置の位置および方向を制御する、といえる。
ア−３　【００１７】には「治療照射室３内には、図１に示すように、加速された粒子線を照射対象に出射する照射装置２と、照射対象を支持する患者支持台（ベッドやイス等）１０と、Ｘ線を発生して照射対象のＸ線撮像をするＸ線撮像装置が設置される。」とあり、そして、上記認定事項ア−１及びア−２から、治療照射室３には、粒子線を照射対象に出射する照射装置２と、照射装置２の位置および方向を制御する回転ガントリと、患者支持台１０とが設置されている、といえる。
イ−１　【００１５】には「本実施例のイメージングステーション４は、図１に示すように、通路５の治療照射室３側終端（通路５と治療照射室３の境界）に設置されている。・・・、イメージングステーション４内で作業しながら、別室である治療照射室」とあるから、イメージングステーション４は、治療照射室３とは別で、同じフロアの通路５に設置されている、といえる。
イ−２　【００２９】には「通路スペースとイメージングステーション４の占有スペースを共通化することで」とあり、イメージングステーション４は通路スペースと共通しているから、“室としては独立していない”状態であると、いえる。
イ−３　上記認定事項イ−１及びイ−２より、イメージングステーション４は治療照射室３とは別で、同じフロアの通路５に、“室として独立していない”状態で設置されている、といえる。
イ−４　【００２３】には「医療スタッフがイメージステーション４に戻り、操作装置（図示せず）から治療準備開始信号を出力する」とあり、イメージングステーション４に操作装置が設けられている、といえる。
ウ  【００２３】には「操作装置（図示せず）から治療準備開始信号を出力すると、回転ガントリ１が所定の回転角度に回転され（ステップ２５）、照射装置のスノートが所定の位置に設置される（ステップ２６）。」とあるから、操作装置は回転ガントリを制御している、といえ、そして、上記認定事項ア−２により、操作装置は、回転ガントリを制御することで、照射装置の位置及び方向を制御する、といえる。
エ　【００２３】には「患者コリメータを、照射装置２内のビーム軌道上に設置する（ステップ２４）。・・・・・。照射装置のスノートが所定の位置に設置される（ステップ２６）。」とあり、照射装置内のスノート内に患者コリメータが設置されている、ことは明らかである。
オ−１　【０００１】には「本発明は、粒子線照射システムを設置する粒子線治療施設に係り、特に、荷電粒子ビーム（陽子線や重粒子線）を照射する粒子線照射システム」とあり、【００２２】には「位置決め支援システム１６は、受信したＸ線画像データから、患者患部の現在画像を作成し、表示装置に表示する。」とあり、粒子線照射システムは位置支援システム１６を備える、ことは明らかである。
オ−２　【００２２】には「位置決め支援システム１６は、受信したＸ線画像データから、患者患部の現在画像を作成し、表示装置に表示する。また、位置決め支援システム１６は、事前に治療計画装置から受信して記憶装置に記憶していた当該患者の治療計画画像を読み込み、表示装置に表示する。位置決め支援システム１６は、表示装置に表示された現在画像と治療計画画像とを比較し、患者支持台１０にある現在の照射標的の位置と治療計画時に決定した照射標的の位置とがずれているか否か（予め定められた許容範囲内にあるか）を判断する。現在の照射標的の位置が、治療計画時の照射標的の位置からずれている（許容範囲外である）と判断した場合、位置決め支援システム１６は、照射標的の位置を一致させる（許容範囲内とする）ために、この照射標的の位置のズレ量に基づいて、患者支持台１０の移動量を求める。支持台制御装置（図示せず）は、位置決め支援システム１６からの支持台移動量を受信すると、この支持台移動量に基づいて、患者支持台１０を移動させて患者位置の微調整を行う（ステップ２２）。・・・・・。位置決め支援システム１６が、患者支持台１０にいる現在の照射標的の位置と治療計画時に決定した照射標的の位置とが一致していると判断した場合（予め定められた許容範囲内であり、照射標的の位置が一致していると判断された場合）、Ｘ線撮像が終了し、ベッド位置決めが終了する。」とあるから、上記認定事項オ−１とにより、粒子線照射システムは位置決め支援システム１６を備え、該位置決め支援システム１６は、治療計画装置から受信する画像と、Ｘ線画像データから作成された現在画像とを比較することで、治療計画時に決定した照射標的の位置と現在の患者支持台１０上の照射標的の位置とのずれを判断しズレ量に基づいて、患者支持台１０の移動量を求めて、患者支持台１０を位置決めする、といえる。
オ−３　【０００３】には「ベッド位置決めとは、一般に、治療計画装置から出力されたＤＲＲ（Digital Reconstructed Radiograph）画像と治療のための放射線照射の前にＸ線撮像装置を用いて治療用ベッド（以下、ベッド）の上に患者を寝かせた状態で撮影するＸ線画像（ＤＲ画像，Digital Radiograph画像）とを比較する」とあるから、上記認定事項オ−２の「治療計画装置から受診された画像」はＤＲＲ画像、といえる。
オ−４　【００２３】には「照射治療室３に他の人（患者支持台１０上にのせられた患者以外の人や医療スタッフ）が居ないことを確認すると、医療スタッフは、Ｘ線制御卓１２からＸ線撮像開始信号を入力する。」とあり、「患者支持台１０の上にのせられた患者」における「のせられた」とは、【０００３】に「患者を寝かせた状態で撮影するＸ線画像」とあることから、「寝かせられた」といえる。したがって、上記認定事項オ−２の「Ｘ線画像データから作成された現在画像」は、患者支持台１０の上に患者を寝かせた状態でＸ線撮像するＸ線画像、といえる。
オ−５　【００２３】には「照射装置２からの粒子線照射が開始され、治療開始となる。」とあり、粒子線の照射は治療のためであることは明らかであり、図５には照射する前にＸ線撮像装置を用いていることが示されているから、上記認定事項オ−２における「Ｘ線画像データから作成された現在画像」は、治療のための粒子線照射の前にＸ線撮像装置を用いて撮像する画像、といえる。
カ　【００２３】には「医療スタッフはイメージステーション４内の操作装置（図示せず）から粒子線照射開始信号を入力する。この粒子線照射開始信号が粒子線照射システムの制御装置に出力されると、照射装置２からの粒子線照射が開始され、治療開始となる（ステップ２７）。」とあり、上記認定事項ウ−１から、治療照射室３とイメージングステーション４とは別であるから、遠隔操作して粒子線照射していることは明らかであり、【０００１】の「本発明は、粒子線照射システムを設置する粒子線治療施設に係り、特に、荷電粒子ビーム（陽子線や重粒子線）を照射する粒子線照射システム」との記載から、粒子線照射システムは、粒子線の遠隔照射を行うことができる、といえる。
（３）上記（１）の記載事項、及び上記（２）の認定事項ア〜カから、引用文献１には、次の発明（以下、引用発明という。）が記載されていると認められる。
「粒子線を照射対象に出射する照射装置２と、 
　前記照射装置２の位置及び方向を制御する回転ガントリ１と、 
　患者支持台１０とが設置された治療照射室３と、
　前記治療照射室３とは別で、同じフロアの通路５に、室として独立していない状態で設置されているイメージングステーション４に設けられた操作装置と、
　前記照射対象のＸ線撮像をするＸ線撮像装置とが設けられ、 
　前記操作装置は、前記回転ガントリ１を制御することで、前記照射装置２の位置及び方向を制御するものであり、 
　患者コリメータは、前記照射装置２内のスノート内に設置され、
　治療計画装置から受信されたＤＲＲ画像と治療のための粒子線照射の前に前記Ｘ線撮像装置を用いて前記患者支持台１０の上に患者を寝かせた状態でＸ線撮像するＸ線画像とを比較することで、治療計画時に決定した照射標的の位置と現在の患者支持台１０上の照射標的の位置とのずれを判断しズレ量に基づいて、前記患者支持台１０の移動量を求めて前記患者支持台１０を位置決めする 
　粒子線の遠隔照射を行うことができる粒子線遠隔照射システム。」
２　引用文献２の記載事項
（１）当審の拒絶の理由２で引用され、本願優先権主張日前に頒布された引用文献２には、図面とともに次の記載がある。
【０００１】
「
本発明は、患部に向けてＸ線等の放射線や粒子線（以下、放射線と総称）を照射して、腫瘍等を治療する放射線治療において、放射線の照射野を規定するマルチリーフコリメータを観察するための観察装置、およびこれを用いた放射線治療装置に関する。
【０００３】
「
放射線治療装置の照射ノズル内には、患部形状とほぼ一致するように照射野を絞るためのマルチリーフコリメータ（多葉コリメータとも称する）が設置される。
【０００６】
「通常、リーフ開口形状は、患部の形状に対応するように治療計画時に計算され、設定されている。しかし、各リーフを駆動するモータや位置検知用のエンコーダに故障が発生した場合、治療計画通りの形状になっていない可能性が考えられる。そのため安全を期して、
放射線を照射する際、このリーフ開口形状が治療計画どおりの形状に設定できたか否かを確認する必要がある。
【０００８】
「しかし、目視による単純比較確認のため、微細な形状の違いについては、検出が困難である。また、連続的に異なるコリメータ形状で照射を行う積層原体照射や
多門照射
【００１５】
「
本発明の目的は、マルチリーフコリメータのリーフ開口形状を容易に精度良く確認できるマルチリーフコリメータ観察装置および放射線治療装置を提供することである。
【００１９】
「実施の形態１．
  図１は、本発明の実施の形態１を示す概略構成図である。放射線治療装置は、放射線を発生する線源を有する放射線照射装置１と、患者２を固定するための治療台ＴＢなどで構成される。
放射線照射装置１は、３次元位置決め機構（不図示）に搭載された照射ヘッドＨＤに固定され、所望の方向から患者２の患部に向けて治療ビームＢＭを照射できるように構成される。
【００２３】
 「図１を参照して、本実施形態に係るマルチリーフコリメータ観察装置は、撮像部４と、回転角検出部５と、データ処理部ＤＰなどで構成される。」
【００２４】
「
撮像部４は、例えば、２次元状に配列した複数の画素を有する固体撮像素子などを備え、マルチリーフコリメータ３の線源側であって、照射ヘッドＨＤの内部または外部に設けられ、リーフ開口３２の形状を撮像する機能を有する。
【００２５】
「
撮像部４は、画像処理が容易なデジタル出力のカメラであってもよく、
【００３１】
「回転角検出部５で検出された回転角は、座標変換手段６に送られる。座標変換手段６は、ソフトウエア等で構成され、回転角検出部５で検出された回転角に基づいて、予め保存された治療計画データのリーフ開口形状を座標変換し、撮像部４で撮像された実際のリーフ開口形状の座標系と一致させる。こうして得られたリーフ開口形状は、照合用の参照リーフ開口形状として用いられる。」
【００３２】
「
撮像部４からのコリメータ画像４１および座標変換手段６で座標変換された参照リーフ開口形状は、目視照合手段７に送られる。目視照合手段７は、ソフトウエア等で構成され、参照リーフ開口形状およびコリメータ画像４１に含まれる実リーフ開口形状をディスプレイ上で表示して、オペレータの目視照合に使用される。
【００３７】
「このように目視照合手段７を用いて、参照リーフ開口形状および実リーフ開口形状を目視照合のために表示することによって、人為的ミスや機器の故障などに起因した誤照射を事前に防止することができる。」
【００４５】
「また、画像処理照合を用いた場合、患部形状と照射野との同一性を容易かつ精度良く確認できる。そのため、患部以外の正常組織に照射される不要線量、治療に必要な照射回数、
照射門ごとに
（２）上記（１）の記載事項から、引用文献２には、次の技術的事項が記載されているものと認められる。
ア　【０００１】には「本発明は、患部に向けてＸ線等の放射線や粒子線（以下、放射線と総称）を照射して、腫瘍等を治療する放射線治療において、放射線の照射野を規定するマルチリーフコリメータを観察するための観察装置、およびこれを用いた放射線治療装置に関する。」とあり、【００４５】には「照射門ごとに」とあるから、放射線治療装置は、マルチリーフコリメータを観察するための観察装置を用いた粒子線の多門照射装置といえる。
イ　【００２４】には「撮像部４は、例えば、２次元状に配列した複数の画素を有する固体撮像素子などを備え、マルチリーフコリメータ３の線源側であって、照射ヘッドＨＤの内部または外部に設けられ、リーフ開口３２の形状を撮像する機能を有する」とあり、リーフ開口３２の形状における「リーフ」とはマルチリーフであることは明らかであり、そして、【００２５】には「撮像部４は、画像処理が容易なデジタル出力のカメラであってもよく」とあるから、カメラはマルチリーフコリメータの形状を撮像する、といえる。
（３）上記（１）の記載事項及び上記（２）の認定事項ア〜イから、引用文献２には、次の技術事項が記載されていると認められる。
「照射ノズル内のマルチリーフコリメータのリーフ形状を確認するために、マルチリーフコリメータを撮像するカメラによって撮像されるコリメータ画像に含まれる実リーフ開口形状をディスプレイに表示させる、マルチリーフコリメータを観察するための観察装置を用いた粒子線の多門照射装置」
第５　対比
１　本願発明と引用発明を対比する。
（１）引用発明の「回転ガントリ」は「照射制御装置」に相当し、以下同様に、
・「とが設置された」は「とを含む」に、
・「治療照射室」は「照射室」に、
・「で設置されている」は「に存在する」に
・「操作装置」は「制御装置」に、
・「Ｘ線撮像をするＸ線撮像装置とが設けられ」は「Ｘ線撮影を行うＸ線撮影装置とを含み」に、
・「スノート内に設置され」は「スノート内に存在し」に、
・「受信された」は「出力された」に、
・「Ｘ線撮像するＸ線画像」は「撮影するＸ線画像」に、
・「ずれを判断しズレ量に基づいて」は「ズレを算出し」に、
各々相当する。
（２）患者支持台が患者を支持する台であり、患者には照射の対象となる患者患部が含まれていることも明らかである。したがって、引用発明の「患者支持台」は本願発明の「照射対象を含む患者を支持する支持台」に相当する。同様に、引用発明の「患者を寝かせた状態」は本願発明の「照射対象を含む患者を寝かせた状態」に相当する。
（３）引用文献１の「照射標的」は、その文言の意味するところから、粒子線を照射する対象であることは明らかであるから、引用発明の「照射標的」は本願発明の「照射対象」に相当する。
（４）引用発明の「イメージングステーション」は本願発明の「制御室」とは、「照射室とは別に存在する制御スペース」である限りにおいて共通する。
（５）引用発明の「患者コリメータ」と本願発明の「多様コリメータ」とは、「照射装置のスノート内に存在するコリメータ」である限りにおいて共通する。
（６）引用発明の「粒子線遠隔照射システム」と本願発明の「粒子線の遠隔多門照射装置」とは、「粒子線の遠隔照射装置」である限りにおいて共通する。
２　以上から、本願発明と引用発明との一致点及び相違点は、以下のとおりである。
【一致点】
「粒子線を照射対象に出射する照射装置と，
　前記照射装置の位置及び方向を制御する照射制御装置と，
　前記照射対象を含む患者を支持する支持台とを含む照射室と，
　前記照射室とは別に存在する制御スペースに設けられた制御装置と，
　前記照射対象のＸ線撮影を行うＸ線撮影装置とを含み，
　前記制御装置は，前記照射制御装置を制御することで，前記照射装置の位置及び方向を制御するものであり，
　コリメータは、前記照射装置内のスノート内に設置され、
　治療計画装置から出力されたＤＲＲ画像と治療のための粒子線照射の前に前記Ｘ線撮像装置を用いて前記支持台の上に前記照射対象を含む患者を寝かせた状態で撮影するＸ線画像とを比較することで，治療計画時に決定した前記照射対象の位置と現在の前記支持台上の前記照射対象の位置とのズレを算出し，前記支持台の移動量を求めて前記支持台を位置決めする
　粒子線の遠隔照射を行うことができる粒子線の遠隔照射装置。」
【相違点１】
「粒子線の遠隔照射装置」について、本願発明は、粒子線の遠隔多門照射を行うことができる粒子線の遠隔多門照射装置であるのに対し、引用発明は、粒子線の多門照射を行うことができるのか否かが不明な点。 
【相違点２】 
「照射装置のスノート内に存在するコリメータ」について、本願発明は、照射装置内の多様コリメータの形状を撮影でき、制御室内の表示部に表示することで、多様コリメータの形状を確認できるＭＬＣ遠隔監視カメラを照射室が有しているのに対して、引用発明は、コリメータが多様コリメータか否か、ＭＬＣ遠隔監視カメラがコリメータの形状を撮影して制御室内の表示部に表示しているか否か、コリメータの形状を確認できるＭＬＣ遠隔監視カメラを照射室が有しているか否か、がそれぞれ不明な点。 
【相違点３】
「照射室とは別に存在する制御スペース」について、本願発明の制御スペースは、照射室とは別のフロアに存在する制御室であるのに対し、引用発明の制御スペースは、同じフロアに設置され、“室としては独立していない”状態で通路に設置されている点。
第６　判断
　上記相違点について検討する。
１　相違点１について検討する。
　粒子線の多門照射は、例えば、引用文献２にも記載されているように、本願優先日における周知技術である。
　したがって、相違点１にかかる構成は、引用発明及び周知技術に基づいて、当業者であれば適宜なし得る程度のことである。
２　相違点２について検討する。
　引用文献２には、「照射ノズル内のマルチリーフコリメータのリーフ形状を確認するために、マルチリーフコリメータを撮像するカメラによって撮像されるコリメータ画像に含まれる実リーフ開口形状をディスプレイに表示させる、マルチリーフコリメータを観察するための観察装置を用いた粒子線の多門照射装置」が記載されている（上記第４ ２（３）を参照。以下、引用文献２の技術事項という。）また、引用文献１の【００１５】には、「医療スタッフ（医師、診断放射線技師など）は、イメージングステーション４内で作業」することが記載されている（以下、引用文献１の技術事項という。）。
　したがって、引用発明に引用文献２の技術事項を適用して、コリメータを多様コリメータとし、当該多様コリメータの形状を撮影して、ディスプレイに表示することで、多様コリメータの形状を確認できるカメラを設けることは、当業者であれば容易に想到し得ることであり、その際、引用文献１の技術事項により、引用発明の「イメージングステーション」にディスプレイを設けることに格別の困難があるとはいえない。
　よって、相違点２にかかる構成は、引用発明、引用文献１の技術事項及び引用文献２の技術事項に基づいて、当業者が容易に想到し得るものである。
３　相違点３について検討する。
　引用発明における粒子線の遠隔照射装置の「照射室とは別に存在する制御スペース」は、照射制御装置を制御するためのものであり、かつ、照射室に直接配置することができないものであることから、照射制御装置を遠隔操作可能な範囲で施設内の適宜位置に配置され得るものである。
　一方、粒子線の遠隔照射施設において、建屋内に複数のフロアを設け、各フロアに医療スタッフの作業スペースを設けることは、引用文献３の【００４２】に「なお、陽子線治療室１１、陽子線治療制御室１２、ＣＴ撮影室１３、および治療計画室１４は、必ずしも１階と２階とに分ける必要はない。１階に全ての部屋を揃える構成としてもよいし、陽子線治療室１１、陽子線治療制御室１２、ＣＴ撮影室１３、および治療計画室１４という４つの部屋に分けるのではなく、陽子線治療制御室１２内に治療計画端末６および干渉判定端末７を配置したりする等、適宜必要に応じて配置を変更してもよい。」とあるように普通に行われていることである。
　よって、引用発明の「照射室とは別に存在する制御スペース」である、同じフロアに配置され、“室として独立していない”状態で通路に設置されている「イメージングステーション」を、同じフロアに代えて別のフロアとすることは当業者が容易になし得る程度の事項にすぎず、その際、その制御スペースを制御室とすることは当業者が適宜なし得る程度の事項にすぎない。
　
４　審判請求人は平成３０年９月４日提出の意見書の「第３．２．（２）」において、「引用文献２から引用文献４のいずれにも，上記引用発明１との相違点３に係る本発明１の発明特定事項，すなわち，照射室（１５）と制御室（２１）が別のフロアに存在することは開示も示唆もされていません。」と主張している。しかしながら、上記「第６ ３」において指摘するように、引用文献３の【００４２】には、「なお、陽子線治療室１１、陽子線治療制御室１２、ＣＴ撮影室１３、および治療計画室１４は、必ずしも１階と２階とに分ける必要はない。１階に全ての部屋を揃える構成としてもよいし、陽子線治療室１１、陽子線治療制御室１２、ＣＴ撮影室１３、および治療計画室１４という４つの部屋に分けるのではなく、陽子線治療制御室１２内に治療計画端末６および干渉判定端末７を配置したりする等、適宜必要に応じて配置を変更してもよい。」ことが記載されており、制御室を別のフロアに配置する示唆があるといえるから、かかる主張は採用できない。
５　そして、これらの相違点を総合的に勘案しても、本願発明の奏する作用効果は、引用発明、引用文献１〜２の各技術事項、及び周知技術の奏する作用効果から予測される範囲内のものにすぎないから、格別顕著なものということはできない。 
第７　むすび
　以上のとおり、本願発明は、本願優先権主張日前に頒布された引用文献１〜２及び周知技術に基いて、その発明の属する技術の分野における通常の知識を有する者が容易に発明をすることができたものであるから、特許法第２９条第２項の規定により特許を受けることができない。
　よって、結論のとおり審決する。